(57)【特許請求の範囲】
【請求項１】
サイドバイザーをドアフレームの窓枠に取付金具で取付けるための取付け構造であって、
サイドバイザーの上端部をドアフレームの窓枠に固着し、サイドバイザーの上端部より下方の部位にその内面と略垂直に係止突起を突設し、取付金具に、窓枠に係着する係着部と、係止突起を覆い隠す被覆部と、係止突起に係止可能な係止孔を穿設した係止部とを設け、
係止部を、係着部と被覆部との間に形成して、被覆部を、取付金具の一端を折り返して係止突起を跨いだ後、端部が取付金具に当接する膨出形状としたことを特徴とするサイドバイザー取付構造。
【請求項２】
サイドバイザーをドアフレームの窓枠に取付金具で取付けるための取付け構造であって、
サイドバイザーの上端部をドアフレームの窓枠に固着し、サイドバイザーの上端部より下方の部位にその内面と略垂直にドアフレームの窓枠と対向する係止突起を突設し、
取付金具を略コ字形に形成し、その相対向する２片の一方に窓枠の内面と係着させるための係着部を設け、他方にサイドバイザーの係止突起に係止可能な係止孔を穿設した係止部を設けて、係着部と係止部とを上向きにした取付金具とドアフレームの窓枠とによって係止突起を覆い隠すことを特徴とするサイドバイザー取付構造。
【請求項３】
係止孔に係止突起を抜け止めする爪を設けた請求項１又は２記載のサイドバイザー取付構造。
【発明の詳細な説明】
【０００１】
【発明の属する技術分野】
本発明は、自動車のドアフレームの窓枠にサイドバイザーを取り付ける構造に関する。
【０００２】
【従来の技術】
従来、ドアフレームの窓枠にサイドバイザーの上端部を両面接着テープで固着し、両面接着テープより下方の部分を取付金具で取り付ける技術が知られている。取付金具による取付方法として、実開平６−１８０２６号公報（従来例１）には、ドアフレームに係止される取付金具の挿通孔と、サイドバイザーの挿通孔とに拡張式リベットを挿通し、拡張式リベットの突出先端部にワッシャ付きキャップを被せて取り付ける技術が提案されている。特開平１１−２１０７３１号公報（従来例２）には、サイドバイザーに設けた突起部に取付金具の孔を挿通し、その突起部の露出端にプッシュナットを嵌めて取り付ける技術が提案されている。特開２０００−８５３５１号公報（従来例３）には、サイドバイザーに設けた突出部に取付金具の孔を嵌合し、突出部の露出端をカバーで隠す技術が提案されている。実公平６−２８０９号公報（従来例４）には、サイドバイザーのテープ貼着部を内側に折り返し、貼着部に嵌合穴を形成し、取付金具の上端を嵌合穴に係止し、下端を窓枠に挟着する技術が提案されている。
【０００３】
【発明が解決しようとする課題】
しかし、従来例１では、取付部品が、両面接着テープと取付金具と拡張式リベットとワッシャ付きキャップとの４点必要で、取付け作業が煩雑であった。従来例２及び３では、取付部品が両面接着テープと取付金具とプッシュナット又はカバーとの３点必要であった。また、従来例４では、取付部品は両面接着テープと取付金具の２点であるが、テープ貼着部がアンダーカット形状部となるため、サイドバイザーの成形にスライド型が必要となり、型費用が高額になる問題点があった。
【０００４】
こうした問題に鑑み、本発明の課題は、サイドバイザーからアンダーカット形状部をなくし、より少ない部品点数でサイドバイザーを窓枠に容易に取り付けることができる取付構造を提供することにある。
【０００５】
【課題を解決するための手段】
請求項１の発明によるサイドバイザー取付構造は、サイドバイザーをドアフレームの窓枠に取付金具で取付けるための取付け構造であって、サイドバイザーの上端部をドアフレームの窓枠に固着し、サイドバイザーの上端部より下方の部位にその内面と略垂直に係止突起を突設し、取付金具に、窓枠に係着する係着部と、係止突起を覆い隠す被覆部と、係止突起に係止可能な係止孔を穿設した係止部とを設け、係止部を、係着部と被覆部との間に形成して、被覆部を、取付金具の一端を折り返して係止突起を跨いだ後、端部が取付金具に当接する膨出形状としたことを特徴とする。
【０００６】
請求項２の発明によるサイドバイザー取付構造は、サイドバイザーをドアフレームの窓枠に取付金具で取付けるための取付け構造であって、サイドバイザーの上端部をドアフレームの窓枠に固着し、サイドバイザーの上端部より下方の部位にその内面と略垂直にドアフレームの窓枠と対向する係止突起を突設し、取付金具を略コ字形に形成し、その相対向する２片の一方に窓枠の内面と係着させるための係着部を設け、他方にサイドバイザーの係止突起に係止可能な係止孔を穿設した係止部を設けて、係着部と係止部とを上向きにした取付金具とドアフレームの窓枠とによって係止突起を覆い隠すことを特徴とする。
【０００８】
請求項３の発明によるサイドバイザー取付構造は、係止孔に係止突起を抜け止めする爪を設けて構成される。
【０００９】
【発明の実施の形態】
以下に、本発明の実施形態を図面に基づいて説明する。図１及び図２は本発明に係るサイドバイザー取付構造の第１実施形態を示す。この取付構造においては、サイドバイザー５の上端部が両面接着テープ７によってドアフレーム１の窓枠平面部１ａに取り付けられている。サイドバイザー５の両面接着テープ７より下方の部位には、その内面と略垂直な非アンダーカット形状の係止突起６が設けられている。
【００１０】
係止突起６とドアフレーム１の窓枠内縁２との間には、金属板を折り曲げてなる取付金具３が介装されている。取付金具３には、窓枠内縁２を挟み込んで係着する断面略Ｕ字形の係着部８と、係止突起６を係止する係止部９と、係着部８と係止部９との間において係止突起６を覆い隠す被覆部１０とが設けられている。係止部９には、係止突起６を係止する係止孔４が穿設され、図２に示すように、係止孔４に係止突起６を抜け止めする複数の爪１２が形成されている。図１において、１３はドアガラスラン、１４はドアガラスである。
【００１１】
上記構成の構造において、サイドバイザー５をドアフレーム１に取り付ける場合には、係止孔４を係止突起６に係止して、取付金具３をサイドバイザー５に装着する。このとき、爪１２により取付金具３の脱落を防止できる。そして、サイドバイザー５の上端部を両面接着テープ７でドアフレーム１の窓枠平面部１ａに貼着し、取付金具３の係着部８をドアフレーム１の窓枠内縁２に取り付ける。こうすれば、両面接着テープ７と取付金具３との２部品でサイドバイザー５をドアフレーム１に簡単に取り付けることができる。この取付状態では、取付金具３の被覆部１０が係止突起６を覆い隠しているため、見栄えが良く、係止突起６の突端に指が接触するおそれもない。また係止突起６は非アンダーカット形状であるから、サイドバイザー５を２分割の成形型で安価に製作することができる。
【００１２】
図３は、第１実施形態の変更例を示す。ここでは、被覆部１０が取付金具３の一端を折り返して形成され、係止部９が係着部８と被覆部１０との間に形成されている。この構成によっても、図１の取付構造と同様の作用効果が得られる。
【００１３】
次に、図４及び図５は本発明に係るサイドバイザー取付構造の第２実施形態を示す。この取付構造においては、サイドバイザー５の上端部が両面接着テープ７によってドアフレーム１の窓枠平面部１ａに取り付けられている。サイドバイザー５の両面接着テープ７より下方の部位には、その内面と略垂直に、ドアフレーム１の窓枠内縁２と対向する非アンダーカット形状の係止突起６が突設されている。この係止突起６は、２分割の成形型の型離れ方向に突出している。
【００１４】
係止突起６と窓枠内縁２との間には、金属板を略コ字形に折り曲げてなる取付金具３が介装されている。取付金具３には、その相対向する２片の一方に窓枠の内面と係着する係着部８が設けられ、他方にサイドバイザーの係止突起６を係止する係止部９が設けられ、係止部９の両側の折り曲げ片１１と係着部８とが窓枠内縁２を挟み込んで係着している。また、係止部９の中央部には係止突起６を係止する係止孔４が穿設され、係止孔４にも図２と同様な爪１２が形成されている。
【００１５】
この構造においても、第１実施形態と同様の方法により両面接着テープ７と取付金具３の２部品でサイドバイザー５をドアフレーム１に簡単に取り付けることができる。取付状態では、ドアフレーム１の窓枠内縁２が係止突起６を覆い隠すので、取付金具３を小型化でき、サイドバイザー５の内側に突出する部分をなくすことができる。その他の作用効果は、第１実施形態と同様である。なお、図６に示すように、取付金具３の係止部９に係止孔４を開放する切欠１５を設け、サイドバイザー５を両面接着テープ７で貼着した後でも、取付金具３を窓枠内縁２及び係止突起６に装着できるように構成しても良い。
【００１６】
本発明は上記実施形態に限定されるものではなく、以下、列挙するように本発明の趣旨を逸脱しない範囲で各部の形状並びに構成を適宜に変更して実施することも可能である。
（１）クリップによる挟持や、接着剤による接着等によってサイドバイザーの上端部をドアフレームの窓枠に固着すること。
（２）図１、図３又は図４において、係着部をドアガラスランの上側まで延ばすこと。
（３）取付金具の折曲形状を変更すること。
（４）係止突起に補強リブを設けること。
（５）係止突起及び係止孔を多角形に形成すること。
（６）係止突起を略円柱形或いは円錐台形等に形成すること。
（７）係止孔の爪数を変更すること。
（８）図２の係止孔に係止突起を開放する切欠を図６と同様に設けること。
【００１７】
【発明の効果】
以上詳述したように、請求項１の発明によれば、サイドバイザーからアンダーカット形状部をなくし、両面接着テープと取付金具の２点で、サイドバイザーをドアフレームの窓枠に容易に取り付けることができる効果がある。
【００１８】
請求項２の発明によれば、上記効果に加え、取付金具を小型化できる効果がある。
【００１９】
請求項３の発明によれば、取付金具の脱落を防止できる効果がある。
【図面の簡単な説明】
【図１】本発明に係るサイドバイザー取付構造を示す第１実施形態の断面図である。
【図２】図１の取付金具の一部拡大図である。
【図３】第１実施形態の変更例の断面図である。
【図４】本発明に係るサイドバイザー取付構造を示す第２実施形態の断面図である。
【図５】図４の取付金具を示す斜視図である。
【図６】図４の取付金具の変更例を示す斜視図である。
【符号の説明】
１・・ドアフレーム、２・・窓枠内縁、３・・取付金具、４・・係止孔、５・・サイドバイザー、６・・係止突起、７・・両面接着テープ、８・・係着部、９・・係止部、１０・・被覆部、１２・・爪。
【図１】
0004659261.tif 000002
【図２】
0004659261.tif 000003
【図３】
0004659261.tif 000004
【図４】
0004659261.tif 000005
【図５】
0004659261.tif 000006
【図６】
0004659261.tif 000007